(57)【要約】
【課題】キャスタ付き貨物を高さが異なったロー床面及びハイ床面の間で移動させる際の操作性を向上させると共に、軽量であり、組み立てが簡単な荷役装置とする。
【解決手段】荷役装置１は、キャスタ付き貨物を高さが異なったロー床面２及びハイ床面３の間で移動させるために用いられる。複数枚のダンボールを接着した積層体からなり、 ロー床面２からハイ床面３まで徐々に傾斜しており、ロー床面２上に接地される少なくとも２つのスロープブロック１１と、貨物のキャスタの間隔に合わせた間隔となるように２つのスロープブロック１１を接着により固定するダンボールからなる連結板１２と、連結板から立ち上がってキャスタの脱落を防止するガード部１３ｂを有し、各スロープブロック１１の長さ方向に沿って連結板１２に接着されることにより、キャスタが走行する厚紙からなる走行板１３と、各走行板１３の一端側から長さ方向に沿って延びるように連結板１２に接着されており、ハイ床面３に掛け渡されることによりキャスタを走行板１３とハイ床面との間で誘導する厚紙からなる誘導板１４とを備える。
【選択図】図２
0003099750.tif 000002
【実用新案登録請求の範囲】
【請求項１】
　キャスタ付き貨物を高さが異なったロー床面及びハイ床面の間で移動させるために用いられる荷役装置であって、
　複数枚のダンボールを接着した積層体からなり、 ロー床面からハイ床面まで徐々に傾斜しており、ロー床面上に接地される少なくとも２つのスロープブロックと、
　前記貨物のキャスタの間隔に合わせた間隔となるように２つのスロープブロックを接着により固定するダンボールからなる連結板と、
　連結板から立ち上がってキャスタの脱落を防止するガード部を有し、各スロープブロックの長さ方向に沿って連結板に接着されることによりキャスタが走行する厚紙からなる走行板と、
　各走行板の一端側から長さ方向に沿って延びるように連結板に接着されており、ハイ床面に掛け渡されることによりキャスタを走行板とハイ床面との間で誘導する厚紙からなる誘導板とを備えることを特徴とする荷役装置。
【請求項２】
　キャスタ付き貨物を高さが異なったロー床面及びハイ床面の間で移動させるために用いられる荷役装置であって、
　複数枚のダンボールを接着した積層体からなり、 ロー床面からハイ床面まで徐々に傾斜しており、ロー床面上に接地される少なくとも２つのスロープブロックと、
　前記貨物のキャスタの間隔に合わせた間隔となるように２つのスロープブロックを接着により固定するダンボールからなる連結板と、
　連結板から立ち上がってキャスタの脱落を防止するガード部を有し、各スロープブロックの長さ方向に沿って連結板に接着されることによりキャスタが走行する厚紙からなる走行板と、
　各走行板の一端側から長さ方向に沿って延びるように連結板に接着されており、ハイ床面に掛け渡されることによりキャスタを走行板とハイ床面との間で誘導する厚紙からなる誘導板とを備え、
　前記走行板の他端側はスロープブロックから長さ方向に沿って延びてロー床面に接地されるガイド部となっていることを特徴とする荷役装置。
【考案の詳細な説明】
【技術分野】
【０００１】
　本考案は、大型の産業機械、大型電気製品などの大重量の貨物を倉庫や工場の床面と搬送ケージや搬送ボックスなどの床面との間で移動させる際に用いられる荷役装置に関する。
【背景技術】
【０００２】
　例えば、５０ｋｇを超える大重量の貨物では、床面上を走行するキャスタが底面部分に取り付けられており、工場からの出荷や購入先への納品等においては、キャスタを使用した搬出入が行われる。特開平１０−２３６４８４号公報には、キャスタを利用して大重量の貨物を梱包箱まで移動させる従来の荷役装置が記載されている。
【０００３】
　この荷役装置は、移動のための構造を貨物の搬送箱に組み込んだものであり、搬送箱の前面プレートを底面プレートと蝶番を介して連結すると共に、前面プレートと上面プレートとを蝶番を介して連結することにより、前面プレート及び上面プレートを箱本体から床面側に展開可能としている。また、これらとは、スロープを別個に箱本体内に収納している。
【０００４】
　貨物を搬送箱内に梱包する場合には、空状態の箱本体からスロープを取り出して床面に接地すると共に、上面プレート及び前面プレートを展開してスロープ上に載せることにより、上面プレート及び前面プレートによって移動用の斜面を形成するものである。そして、貨物のキャスタを上面プレート及び前面プレートからなる斜面上で走行させることにより、床面から貨物を箱本体内に移動させ、上面プレート及び前面プレートを箱本体に被せ、さらにスロープを箱本体内に収納して梱包を終了する。搬送箱からの貨物の取り出しは、この反対の操作を行うことにより行うものである。
【特許文献１】特開平１０−２３６４８４号公報
【考案の開示】
【考案が解決しようとする課題】
【０００５】
　しかしながら、上述した従来の荷役装置では、以下のような問題を有している。　
【０００６】
　（１）キャスタ移動用の斜面を形成する上面プレート及び前面プレートとスロープとが別体となっているため、使用に際して、キャスタが走行する位置にスロープをセットする必要がある。このため、スロープのセットが面倒で手間がかかるばかりでなく、キャスタから外れている場合には、上面プレート及び前面プレートからなる斜面が貨物の重量で押し潰されて使用不可能となる。
【０００７】
　（２）上面プレート及び前面プレートを蝶番によって連結しているため、構造が複雑となっている。また、キャスタ走行用の斜面を形成するためには、上面プレート及び前面プレートを箱本体から展開させる必要があり、操作が面倒で取り扱い性が悪いものとなっている。
【０００８】
　（３）上面プレート及び前面プレートが搬送箱を構成する部材であるため、その長さが搬送箱の大きさに合致するように設定されている。従って、上面プレート及び前面プレートから構成される斜面の長さを変更することができず、設計変更を自由に行うことができない不便さがある。
【０００９】
　（４）スロープとしては、貨物に重量に耐えるだけの強度が必要なため、木材や強化プラスチックなどの材料によって形成する必要がある。このため、重たく、取り扱い性が悪いものとなる。
【００１０】
　本考案は、このような従来の問題点を考慮してなされたものであり、貨物のキャスタに合わせたセットが不要であり、キャスタの走行を確実に行うことができ、しかも取り扱い性が良好であり、さらに貨物に合わせた設計変更が容易な荷役装置を提供することを目的とする。
【課題を解決するための手段】
【００１１】
　上記目的を達成するため、請求項１の考案の荷役装置は、キャスタ付き貨物を高さが異なったロー床面及びハイ床面の間で移動させるために用いられる荷役装置であって、複数枚のダンボールを接着した積層体からなり、 ロー床面からハイ床面まで徐々に傾斜しており、ロー床面上に接地される少なくとも２つのスロープブロックと、前記貨物のキャスタの間隔に合わせた間隔となるように２つのスロープブロックを接着により固定するダンボールからなる連結板と、連結板から立ち上がってキャスタの脱落を防止するガード部を有し、各スロープブロックの長さ方向に沿って連結板に接着されることによりキャスタが走行する厚紙からなる走行板と、各走行板の一端側から長さ方向に沿って延びるように連結板に接着されており、ハイ床面に掛け渡されることによりキャスタを走行板とハイ床面との間で誘導する厚紙からなる誘導板とを備えることを特徴とする。
【００１２】
　請求項１の考案では、スロープブロックが接着によって連結板に固定され、走行板が連結板に接着され、誘導板が連結板に接着されているため、荷役装置はこれらが結合した一体物となる。このため、荷役装置の全体をロー床面に接地することにより、ロー床面とハイ床面とを結ぶ傾斜面を形成することができる。この状態で、貨物を押しながらロー床面から走行板に沿って貨物のキャスタを走行させることにより、貨物はハイ床面まで移動し、誘導板を伝ってハイ床面上に達する。一方、ハイ床面からロー床面への移動は、逆方向に貨物を移動させることにより同様にして行うことができる。
【００１３】
　このような請求項１の考案では、スロープブロックが貨物のキャスタに合わせた間隔となるように連結板によって固定されているため、キャスタに合わせてスロープブロックをセットする必要がなく、セット作業が簡単で、短時間でのセットを行うことができる。また、スロープブロックがダンボールを接着した積層体によって形成されているため、強度を有したものとすることができ、貨物の重量に耐えることが可能となる。
【００１４】
　さらに、スロープブロックをロー床面に接地するだけで、貨物移動のための移動路を形成できるため、取り扱いが簡単で、セットのための作業を簡単に行うことができる。さらに、またスロープブロックの高さを変更することにより、ロー床面及びハイ床面の間の高さに合わせることができ、設計変更も容易となる。
【００１５】
　また、スロープブロック及び連結板がダンボールによって形成され、走行板及び誘導板が厚紙によって形成されているため、全体が軽量であり、取り扱い性が良好となっている。さらに、構成部品を接着することにより荷役装置を組み立てることができるため、組み立てが簡単であり、安価に提供することができる。
【００１６】
　請求項２の考案の荷役装置は、キャスタ付き貨物を高さが異なったロー床面及びハイ床面の間で移動させるために用いられる荷役装置であって、複数枚のダンボールを接着した積層体からなり、 ロー床面からハイ床面まで徐々に傾斜しており、ロー床面上に接地される少なくとも２つのスロープブロックと、前記貨物のキャスタの間隔に合わせた間隔となるように２つのスロープブロックを接着により固定するダンボールからなる連結板と、連結板から立ち上がってキャスタの脱落を防止するガード部を有し、各スロープブロックの長さ方向に沿って連結板に接着されることによりキャスタが走行する厚紙からなる走行板と、各走行板の一端側から長さ方向に沿って延びるように連結板に接着されており、ハイ床面に掛け渡されることによりキャスタを走行板とハイ床面との間で誘導する厚紙からなる誘導板とを備え、前記走行板の他端側はスロープブロックから長さ方向に沿って延びてロー床面に接地されるガイド部となっていることを特徴とする。
【００１７】
　請求項２の考案においても、請求項１の考案と同様な構成を有しているため、軽量で取り扱いが簡単で、セットを短時間で行うことができ、設計変更も容易であるという請求項１の考案と同様な作用を有している。
【００１８】
　請求項２の考案では、これに加えて、走行板の他端側がガイド部となっていることにより、ロー床面及び走行板の相互間での貨物の円滑な移動が可能となっている。
【考案の効果】
【００１９】
　本考案の荷役装置によれば、貨物を移動させるための移動路のセットを簡単に行うことができる。また、大重量の貨物の移動に耐えることができ、しかも軽量で組み立ても容易で、取り扱いが簡単であり、安価とすることができる。
【考案を実施するための最良の形態】
【００２０】
　図１〜図４は、本考案の実施の形態における荷役装置１を示す。この荷役装置１は、図４に示すロー床面２およびハイ床面３の間で大重量の貨物を移動させるために使用される。ロー床面２は、例えば工場や倉庫等の建造物のフロアーであり、ハイ床面３は、貨物を搬送するための搬送ケージの貨物載置面である。この実施の形態では、搬送ケージであるコンビテナ４の貨物載置面がハイ床面３となっている。コンビテナ４は、このハイ床面３から上方に延びる格子状の壁面を四面に有しており、そのうちの一面が貨物７の取り出し口となっている。また、ハイ床面３の下面には、搬送用キャスタ５が配置されている。
【００２１】
　貨物７は、人手で持ち上げることができないような大重量となっており、例えば、５０ｋｇ以上の重量を有している。図５は、貨物７の一例を示し、大重量の製品部７ａと、製品部７ａの下面に取り付けられたキャスタ７ｂとを有したキャスタ付き貨物となっている。キャスタ７ｂは、貨物７を移動させる際に転動するものである。これにより、比較的小さな力で貨物７の移動を行うことができる。
【００２２】
　この実施の形態の荷役装置１は、図１〜図３に示すように、２つのスロープブロック１１と、連結板１２と、２つの走行板１３と、２つの誘導板１４とを備えている。
【００２３】
　スロープブロック１１は、図３に示すように、複数枚のダンボールを接着した積層体によって形成されている。積層体は、荷重の作用方向（上下方向）と直交した方向にダンボールが接着されるものである。このように、複数枚のダンボールを積層することにより、大重量に耐えることが可能となっている。例えば、市販のダンボールを１０枚程度積層した場合には、９００ｋｇ程度の荷重に耐える強度を有したものとすることができる。
【００２４】
　スロープブロック１１は、図２に示すように、下面１１ａ側が傾斜した横長三角形に成形されている。この下面１１ａ側をロー床面２上に接地することにより、スロープブロック１１はロー床面２上に傾斜した状態でセットされる。かかる傾斜は、ロー床面２からハイ床面３に向かって徐々に高くなるように設定されるものであり、スロープブロック１１はロー床面２とハイ床面３との間の高さ分に相応した傾斜を有したブロックとなっている。また、傾斜角度は、貨物７を無理なく走行できる範囲内で設定される。
【００２５】
　連結板１２は、ダンボールが使用され、その下面にスロープブロック１１を接着により固定するようになっている。２つのスロープブロック１１は、間隔を有して連結板１２の下面に接着されるものであり、その間隔は、貨物７におけるキャスタ７ｂの間隔Ｌ（図５参照）に合わせて設定される。すなわち、２つのスロープブロック１１の間隔は、貨物７のキャスタ７ｂが各スロープブロック１１上を走行できるように設定されるものである。
【００２６】
　この実施の形態において連結板１２は、スロープブロック１１の長さ方向に沿って延びると共に、スロープブロック１１よりも幾分長尺な１枚のダンボールから形成されている。このような長尺となっていることにより、連結板１２は、ハイ床面３側の延長部１２ａと、ロー床面２側の延長部１２ｂとを有している。これらの延長部１２ａ、１２ｂは、スロープブロック１１よりも前後方向に延びるものである。
【００２７】
　なお、連結板１２としては、２つのスロープブロック１１をキャスタ７ｂの間隔に合わせて固定するものであればよく、短尺な帯状のダンボールの複数を、スロープブロック１１の長さ方向に沿って間隔を有して配置した構造であっても良い。
【００２８】
　２つの走行板１３は、スロープブロック１１の長さ方向に沿って延びており、連結板１２の両端部分に接着されることにより、各スロープブロック１１の長さ方向に沿って固定されている。走行板１３の材料としては、厚紙が用いられる。
【００２９】
　走行板１３は、連結板１２の上面に固定された走行部１３ａと、走行部１３ａから立ち上がるガード部１３ｂとを有したＬ字形に成形されている。走行部１３ａは、各スロープブロック１１上に位置しており、貨物７のキャスタ７ｂが走行する。ガード部１３ｂは、走行部１３ａの外側から立ち上がっており、走行部１３ａを走行するキャスタ７ｂが走行部１３ａから外れることを防止する。これにより、キャスタ７ｂが安定して走行することができる。
【００３０】
　２つの誘導板１４は、各走行板１３の長さ方向に延びるように連結板１２に接着されている。誘導板１４は、図２に示すように連結板１２のハイ床面３側の延長部１２ａに配置されることにより、同延長部１２ａ側の各走行板１３から長さ方向に延びている。この誘導板１４の材料としては、走行板と同様な厚紙が用いられる。誘導板１４は、図４に示すように、走行板１３からハイ床面３に向かって掛け渡されるものであり、これにより貨物７のキャスタ７ｂを走行板１３とハイ床面３との間で誘導させることができ、これらの間における貨物７の移動を円滑に行うことができる。
【００３１】
　以上に加えて、この実施の形態では、各走行板１３におけるロー床面２側の端部が長さ方向に延びており、この延長部分がガイド部１６となっている。ガイド部１６は、連結板１２におけるロー床面２側の延長部１２ｂからさらにロー床面２の方向に延びるものであり、このように延びることにより、ガイド部１６はロー床面２に接地されて、ロー床面２と走行板１３との間でキャスタ７ｂを誘導するように作用する。
【００３２】
　この実施の形態において、スロープブロック１１及び連結板１２に用いられるダンボールとしては、Ａフロート、Ｂフロート、ＡＢフロート等の市販のものを使用することができる。また、スロープブロック１１、連結板１２、走行板１３及び誘導板１４を相互に接着する接着剤としては、エポキシ樹脂、尿素樹脂、フェノール樹脂、ポリ酢酸ビニル、ネオプレン等の適宜の接着剤を選択することができる。接着強度を考慮した場合には、エポキシ樹脂、フェノール樹脂等が良好である。
【００３３】
　以上の実施の形態の荷役装置１では、スロープブロック１１、連結板１２、ガイド部１６を含めた走行板１３、誘導板１４の全ての構成部品が接着された一体物となっているため、図４に示すように、スロープブロック１１の高い側をハイ床面３に向けた状態で、スロープブロック１１の下面１１ａをロー床面２に接地するだけでロー床面２とハイ床面３とを結ぶ傾斜面を自動的に形成することができる。
【００３４】
　この実施の形態では、スロープブロック１１が貨物７のキャスタ７ｂの間隔に合わせて連結板１２に固定されているため、貨物７のキャスタ７ｂをロー床面２からガイド部１６を介して走行板１３に移動させる際に、走行板１３下面のスロープブロック１１が貨物７の重量を確実に支承する。このため、貨物７を安定して走行させることができる。また、ハイ床面３側からの走行も同様であり、誘導板１４から移動する貨物７の重量をスロープブロック１１が確実に支承することができる。
【００３５】
　このような実施の形態では、スロープブロック１１が貨物７のキャスタ７ｂの間隔に合わせて固定されているため、キャスタ７ｂに合わせてスロープブロック１１を調整する必要がない。また、スロープブロック１１を含めた構成部品の全てが接着された一体物となっているため、ロー床面２に対する接地だけで貨物７を移動させるための移動路を形成することができる。従って、取り扱いが簡単となると共に、セットの作業性が格段に向上する。
【００３６】
　さらに、スロープブロック１１及び連結板１２がダンボールによって形成され、走行板１３及び誘導板１４が厚紙によって形成されているため、構成部品の全てが紙製となっている。このため、軽量であり、取り扱いが良好となり、廃棄後の再利用も可能となっている。また、組み立てに際しては、ダンボールや厚紙を接着するだけで良いため、組み立てが簡単であり、安価に提供することもできる。
【００３７】
　なお、この実施の形態では、走行板１３がガイド部１６を有しているため、貨物７をロー床面２から円滑に導入することも可能となっている。
【００３８】
　本考案は以上の実施の形態に限定されることなく、種々変形が可能である。例えば、なお、スロープブロック１１を貨物７のキャスタ７ｂに相応するように２つを設けているが、３つ以上であっても良く、これによりさらに耐荷重性を向上させることができる。また、走行板１３のガイド部１６を省略しても良い。さらには、ハイ床面としては、倉庫や店頭のフロア等の搬送ケージ以外の施設であっても良い。
【図面の簡単な説明】
【００３９】
【図１】本考案の一実施の形態における荷役装置の平面図である。
【図２】荷役装置の正面図である。
【図３】荷役装置の右側面図である。
【図４】使用状態を示す斜視図である。
【図５】貨物の一例の正面図である。
【符号の説明】
【００４０】
　１　荷役装置
　２　ロー床面
　３　ハイ床面
　１１　スロープブロック
　１２　連結板
　１３　走行板
　１３ｂ　ガード部
　１４　誘導板
　１６　ガイド部
【図１】
0003099750.tif 000003
【図２】
0003099750.tif 000004
【図３】
0003099750.tif 000005
【図４】
0003099750.tif 000006
【図５】
0003099750.tif 000007